【事件の表示】
　特願２００３−１１０９５５「データ転送システム及びデータ転送装置並びにその転送方法及び制御プログラム」拒絶査定不服審判事件〔平成１６年１１月１１日出願公開、特開２００４−３２０３８９〕について、次のとおり審決する。
【結　論】
　本件審判の請求は、成り立たない。
【理　由】
１．手続の経緯・本願発明
　本件出願は、平成１５年４月１６日の出願であって、平成２１年１月２１日付けで拒絶査定され、同年２月２６日に審判請求がなされたものであるところ、
　本件出願の請求項２３に係る発明（以下、「本願発明」という。）は、平成２０年９月１６日付けで補正された明細書および図面の記載からみて、その特許請求の範囲の請求項２３に記載された次のとおりのものである。
　
　「【請求項２３】
　通信プロトコルによる制御を行うことなく、設定されたデータ転送装置間で伝送通信信号中のセクション・オーバーヘッドに設けられるデータ通信バイトをそのまま転送する転送ステップを含むことを特徴とするデータ転送方法。」
　
　
２．引用例に記載された発明
　原査定の拒絶の理由に引用された刊行物である特開平１１−２２０４４８号公報（以下、「引用例」という。）には、「多重化伝送方法及び装置」として図面と共に次の記載がある。
　
イ．「【請求項１】低速側伝送路と高速側伝送路間に配置された多重化伝送装置における多重化伝送方法であって、
前記低速側伝送路において障害が発生した場合には、高速側伝送路の多重化信号におけるオーバヘッドの所定位置に警報を挿入して高速側伝送路に通過転送することを特徴とする多重化伝送方法。」（２頁１欄）
　
ロ．「【０００１】
【発明の属する技術分野】本発明は、高速同期ディジタルハイアラキーで使用するのに好適な多重化伝送方法及び装置に関する。
【０００２】
【従来の技術】今日では大容量のデータ伝送の需要が拡大するにつれ、同期化技術の発達とあいまって光伝送技術を用いた、より高速なディジタル同期伝送方式が急速に普及しつつある。このようなディジタル同期伝送方式の機能や構成は、世界的な規格が制定されており、この規格に従って伝送装置や通信網を導入することによって高品質な伝送がどこにおいても可能となる。具体的な規格の例を示すと、国際電気通信連合（ＩＴＵ−Ｔ）が勧告Ｇ．７０７等で定めたエスディーエイチ（ＳＤＨ：Ｓｙｎｃｈｒｏｎｏｕｓ  Ｄｉｇｉｔａｌ  Ｈｉｅｒａｒｃｈｙ）と呼ばれる伝送システムに関する規格（１９８８年制定）、およびアメリカ標準化委員会（ＡＮＳＩ）が規格Ｔ１．１０５で定めたソネット（ＳＯＮＥＴ：Ｓｙｎｃｈｒｏｎｏｕｓ  Ｏｐｔｉｃａｌ  Ｎｅｔｗｏｒｋ）と呼ばれる伝送システムに関する規格（１９９１年制定）が挙げられる。どちらも光同期通信システムの構成と伝送装置の機能を定めたものである。
【０００３】ＳＤＨあるいはＳＯＮＥＴは、ディジタル化された主信号を多重化したペイロードと呼ばれる主信号部に、伝送装置や通信網の監視保守運用を行うためのオーバヘッドと呼ばれる信号を付加した同期多重化信号（フレーム）を処理（伝送や多重分離）するものである。オーバヘッドにはポインタが備えられており、このポインタを用いてフレーム位相同期や周波数調整のスタッフ制御を行う。これにより、従来のディジタル同期伝送装置よりも伝送遅延が少なく監視保守運用能力に優れた伝送システムを提供することができる。
【０００４】この種のオーバヘッドの伝送方法に関しては、例えば特開平４−７９６２８号公報や特開平５−１１４８９２号公報にそれぞれ独自の技術が開示されている。
【０００５】また、ＳＤＨあるいはＳＯＮＥＴのネットワーク構成の自由度を高めるための伝送方法に関しては、例えばＡＮＳＩへの寄書Ｔ１Ｘ１．５／９６−０８５に示されている。
【０００６】この種のディジタル同期伝送におけるネットワークは、例えばＯＣ−１２伝送路がリング状に接続されるＢｉｄｉｒｅｃｔｉｏｎａｌ  Ｌｉｎｅ  Ｓｗｉｔｃｈｅｄ  Ｒｉｎｇ（ＢＬＳＲ）が用いられる。ここで伝送路の冗長系の切替は、ＡＮＳＩ勧告Ｔ１．１０５．０１の規格で規定されるＢｉｄｉｒｅｃｔｉｏｎａｌ  Ｌｉｎｅ  Ｓｗｉｔｃｈｅｄ  Ｒｉｎｇ、あるいはＩＴＵ−Ｔ勧告Ｇ．８４１の規格で規定されるＭＳ  Ｓｈａｒｅｄ  Ｐｒｏｔｅｃｔｉｏｎ  Ｒｉｎｇｓの各プロトコルに従う。具体的には、リングネットワークを構成する複数の多重化装置間で同期多重化信号のオーバヘッドに配置されたＡｕｔｏｍａｔｉｃ  Ｐｒｏｔｅｃｔｉｏｎ  Ｓｗｉｔｃｈｉｎｇ（ＡＰＳ）バイトと呼ばれるＫ１バイトとＫ２バイトを用いて冗長系の切替運用を実行する。
【０００７】伝送ネットワークをアップグレードする場合は、リング状に接続されたＯＣ−１２伝送路の一部をより伝送容量の大きいＯＣ−１９２伝送路に置き換えることが行われる。この場合、ＯＣ−１２伝送路とＯＣ−１９２伝送路との間に配置される多重化伝送装置においては、冗長系の切替運用に必要な上述のＫ１、Ｋ２バイトのやり取りが遮断されるため、ＯＣ−１２リングネットワークはその冗長系の切替運用を維持することはできない。何故ならば、ＳＯＮＥＴやＳＤＨの規格で定められるように、ＯＣ−１２伝送路で伝送されたＡＰＳバイトはＯＣ−１９２伝送路の一端に接続される多重化装置で終端され、多端の多重化装置までは伝わらないからである。ＯＣ−１９２伝送路で伝送されるＡＰＳバイトは、あくまでもＯＣ−１９２伝送路の冗長系の切替運用に使用されるためのものである。従って通常は、ＯＣ−ＭのＢＬＳＲネットワークの一部の区間をより伝送容量の大きいＯＣ−Ｎ（Ｍ＜Ｎ）のネットワークに多重化するような網構成は、簡単には実現できない。
【０００８】ただ、これを実現する方法がないわけではない。それは、ＯＣ−１２伝送路からのＡＰＳバイトを含む監視保守運用情報をＯＣ−１９２区間でスルーして伝送する方式である。例えば、複数の多重化装置Ａ、Ｆ、Ｇ、Ｄ、ＥがＡ←→Ｆ←→Ｇ←→Ｄ←→Ｅ←→ＡのＢＬＳＲネットワークを構成している場合を考える。ここで、Ｆ←→Ｇは高速のＯＣ−１９２伝送路区間で、その他はすべて低速のＯＣ−１２伝送路区間とする。いま、ＯＣ−１２伝送路区間Ｅ←→Ａ間で障害が発生したとすると、多重化装置ＡとＥはこの障害を検出し、ＢＬＳＲプロトコルに基づいてコーディングされたＡＰＳバイトをＯＣ−１９２区間Ｆ←→Ｇをスルーして、経路Ａ←→Ｆ←→Ｇ←→Ｄ←→Ｅでやり取りし、冗長系の切替を行う。この方式によればＯＣ−１２リングネットワークは、その一部にＯＣ−１９２伝送路を含む場合でも、伝送路の冗長系切替の運用を維持できるようになり、比較的自由度の高いネットワークを構成することができる。」（３頁３欄〜４頁５欄）
　
　
ハ．「【００２２】図１はリング状に構成された多重化伝送網を示す。図のように、多重化装置ＦとＧ間はＯＣ−１９２伝送路で接続され、他の多重化装置間はＯＣ−１２伝送路で接続されている。本図は、多重化装置Ａ、Ｆ、Ｇ、Ｄ、Ｅの各区間の伝送路に障害が発生していない正常な状態を示している。多重化装置ＡとＤからのＡＰＳバイトは、多重化装置ＦとＧの区間をスルーで通過してそれぞれ多重化装置ＤとＡに至る。
【００２３】ここでＯＣ−１９２伝送路は４ファイバ型とし、その冗長系切替方式は簡単のためリニヤ１＋１とする。リニヤ１＋１の切替方式は、ＳＯＮＥＴ方式ではＡＮＳＩ勧告Ｔ１．１０５．０１の規格に、ＳＤＨ方式ではＩＴＵ−Ｔ勧告Ｇ．７８３の規格にそれぞれ定められている。
【００２４】ＯＣ−１９２（高速側）ネットワークの構成ノードである多重化装置Ｆ、ＧはＬＴＥ型の多重化装置として説明するが、ＡＤＭ型の多重化装置であってもよい。一方、ＯＣ−１２（低速側）ネットワークの構成ノードである多重化装置Ａ、Ｄ、Ｅは一般的なＡＤＭ型の多重化装置であり、オーバヘッドの通過転送機能は有っても無くてもよい。このＬＴＥ型およびＡＤＭ型の多重化装置の構成については後述する。
【００２５】多重化装置Ｆでは、多重化装置Ａとの間のＯＣ−１２の現用系帯域の信号と予備系帯域の信号をそのままＯＣ−１９２伝送路の現用系伝送路、または現用系伝送路と予備系伝送路の双方を使用して伝送する。同様に、多重化装置Ｇでは、多重化装置Ｄとの間のＯＣ−１２の現用系伝送路の信号と予備系伝送路の信号をそのままＯＣ−１９２伝送路の現用系伝送路、または現用系伝送路と予備系伝送路の双方を使用して伝送する。図１はＯＣ−１９２の現用系伝送路を使用する場合を示しており、ＯＣ−１９２の予備系伝送路は省略してある。また、以下の説明ではＯＣ−１２ＢＬＳＲネットワークは２ファイバ型としているが、４ファイバ型であってもよい。
【００２６】また図１には、多重化装置Ａと多重化装置Ｄ間で、多重化装置Ｆと多重化装置Ｇ間のＯＣ−１９２伝送路を介して、ＳＴＳ−３相当のパスが張られている様子を点線で示している。このＳＴＳ−３相当のパスは多重化装置Ａと多重化装置ＤにおいてＯＣ−３伝送路（１５５．５２ＭＨｚ）に分岐化される。
【００２７】ここで図１の多重化伝送網における多重化信号のフレーム構成について説明する。図５（ａ）〜（ｃ）は、ＳＯＮＥＴで規定されたＯＣ−１２伝送路（６２２．０８ＭＨｚ）の多重化信号のフレーム構成図を示す。本フレーム構成において、同図（ａ）の最初の３６オクテット分の信号がオーバヘッドであり、残りの部分が主信号を多重化したペイロードである。同図（ｂ）はオーバヘッドの詳細内容を示し、（ｃ）はオーバヘッドに続いて設定される１オクテットのパスオーバヘッド（ＰＯＨ）の内容を示す。また図６（ａ）〜（ｃ）は、ＳＯＮＥＴで規定されたＯＣ−１９２伝送路（９９５３．２８ＭＨｚ）の多重化信号のフレーム構成図を示す。本フレーム構成において、同図（ａ）の最初の５７６オクテット分の信号がオーバヘッドであり、残りの部分が主信号を多重化したペイロードである。同図（ｂ）、（ｃ）はそれぞれオーバヘッド及びパスオーバヘッド（ＰＯＨ）の内容を示す。
【００２８】図５（ｂ）及び図６（ｂ）に示すオーバヘッドの内、１〜３行はセクションオーバヘッドと呼ばれる。セクションオーバヘッドは、伝送装置や中継器の間の伝送路区間（セクションと定義されている）毎の監視保守運用を行う。ある装置（中継器を含む）で生成されたセクションオーバヘッドは、伝送路を介して送信されると次の装置で終端される。また、オーバヘッドの内、５〜９行はラインオーバヘッドと呼ばれる。ラインオーバヘッドは、多重化された主信号を処理する伝送装置間の伝送区間（ラインと定義されている）毎の監視保守運用を行う。ある伝送装置で生成されたラインオーバヘッドは、伝送路や中継器を介して送信されて次の伝送装置で終端される。なおオーバヘッドの内、４行目のバイトはポインタである。両図中、×印は未使用バイト（未定義領域）を示すものである。これに関して、ＡＮＳＩへの寄書Ｔ１Ｘ１．５／９６−０８５には、ＯＣ−ＭネットワークからのＡＰＳバイトを、ＯＣ−Ｎ（Ｍ＜Ｎ）の伝送フレームのラインオーバヘッドの未規定領域（未定義領域）に挿入する概念が記載されている。
【００２９】オーバヘッド各部の用途は図４に示すとおりである。まずセクションオーバヘッドのうち、Ａ１，Ａ２はフレーム同期、Ｂ１はセクション区間の誤り監視、Ｄ１〜Ｄ３は保守運用、Ｅ１は保守者用音声通信、Ｊ０はセクショントレース、Ｚ０は予備に用いられる。またラインオーバヘッドのうち、Ｈ１，Ｈ２はパスの先頭位置の指示、Ｈ３は周波数同期、Ｂ２，Ｍ１はライン区間の誤り監視、Ｋ１，Ｋ２はライン区間の切換制御、警報転送、Ｄ４〜Ｄ１２は保守運用、Ｅ２は保守者用音声通信、Ｓ１は網同期の運用、Ｚ１，Ｚ２は予備に用いられる。このようなフレーム構成と機能は、いずれも上記規格に規定されたものである。
【００３０】次に、多重化装置Ａと多重化装置Ｄから出される種々の監視保守運用情報が、多重化装置Ｆと多重化装置Ｇにおいて、ＯＣ−１９２伝送オーバヘッド上の未規定領域のどの位置に割り当てられ、通過転送されるかについて説明する。
【００３１】図７はＯＣ−１９２伝送フレームを示すもので、太線で囲った領域がスルーバイトの割当位置１０００、１１００、１２００である。多重化される低速側の信号がＯＣ−１２の場合、図７中の（ａ）、（ｂ）、（ｃ）で示した領域は、詳細にはそれぞれ、例えば図８、図９、図１０に示す構成となる。各図で太線で囲った領域がスルーバイトの割当位置１００１〜１００４、１１０１〜１１０７、１２０１〜１２０８である。多重化装置Ｆと多重化装置Ｇでは、多重化装置Ａと多重化装置Ｄから送られたＯＣ−１２伝送フレーム中のＡＰＳバイトであるＫ１、Ｋ２バイトをそれぞれ、図７の“Ｔｒｂ．Ｋ１”、“Ｔｒｂ．Ｋ２”で示した位置に挿入する。より詳細には図９の“Ｋ１Ｔｒ＃ｉ”と図１０の“Ｋ２Ｔｒ＃ｉ”（ｉは１以上１５以下の整数）で示した位置に挿入する。ちなみに、ＡＰＳバイト以外の監視保守運用情報、例えばＤ４〜Ｄ１２バイトの通過転送領域は、図７の“Ｔｒｂ．Ｄ４”〜“Ｔｒｂ．Ｄ１２”の領域で、より詳細には図８〜図１０の該当箇所に示すとおりである。もちろん、図８〜図１０は一例を示すものであって、ラインオーバヘッドの未規定領域を使用するのであればどこでもよい。
【００３２】さて、このようなフレーム構造の多重化信号を図１に示す多重化伝送網で伝送している場合に、伝送路で何らかの障害が発生したときのことを考える。
【００３３】図２は、多重化装置Ａから多重化装置Ｆに向かうＯＣ−１２伝送路において、例えば伝送路切断の障害が発生した様子を示す。この場合、多重化装置ＦはＯＣ−１２伝送路からの受信信号が伝送路断（ＬＯＳ）であることを検出する。これにより多重化装置Ｆは、多重化装置ＡからのＡＰＳバイトを多重化装置Ｇに通過転送させる。その際多重化装置Ｆは、ＡＰＳバイトの通過転送用に予め定められたＯＣ−１９２伝送オーバヘッド上の未規定領域、例えば図９の“Ｋ１Ｔｒ＃ｉ”と図１０の“Ｋ２Ｔｒ＃ｉ”（ｉは１以上１５以下の整数）で示した位置に、少なくとも“Ｋ２Ｔｒ＃ｉ”の下位３ビットが“１１１”となるような信号を挿入することにより行う。この信号は、例えばオール“１”値、つまり１６進値で“ＦＦ”とする。これを伝送路障害が復旧するまで１フレーム毎に挿入し続ける。
【００３４】多重化装置Ｇでは、図１の状態と同様に、受信した通過転送ＡＰＳバイト、すなわち図９の“Ｋ１Ｔｒ＃ｉ”と図１０の“Ｋ２Ｔｒ＃ｉ”で示した位置の内容を、各々そのままＯＣ−１２伝送オーバヘッド上のＡＰＳバイトの規定位置、すなわち図５（ｂ）のＫ１とＫ２の位置に挿入して、多重化装置Ｄに向けて送信する。よって多重化装置Ｄは、多重化装置ＧからのＡＰＳバイトとしてオール“１”値を受信することとなる。
【００３５】ここでＳＯＮＥＴの規格では、Ｋ２バイトの下位３ビットとしてオール“１”値を連続して５フレーム以上受信した場合は、ラインレイヤの警報であるＡＩＳ−Ｌが転送されていると判断することが規定されており、さらにＢＬＳＲ切替の要因の一つとしてＡＩＳ−Ｌが規定されている。従って多重化装置Ｄは、多重化装置Ｇからラインレイヤの警報であるＡＩＳ−Ｌが転送されていると判断する。
【００３６】これにより、ＢＬＳＲ切替要因となる警報が多重化装置Ｄまで転送されたことになる。」（５頁７欄〜６頁１０欄）
　
　上記引用例の記載及び関連する図面ならびにこの分野における技術常識を考慮すると、
まず、上記引用例記載の「多重化伝送方法」は、上記イ．にあるように「低速側伝送路と高速側伝送路間に配置された多重化伝送装置における多重化伝送方法」であって、上記ハ．【００２２】、引用例図１にもあるように、「リング状に構成された多重化伝送網」を構成するように設定された複数の「多重化伝送装置」（Ａ〜Ｇ）の間で、「ＳＤＨ」や「ＳＯＮＥＴ」などの規格に従った「多重化信号」をやりとりするものである。
　また、上記ロ．【０００３】、【０００６】にあるように、上記「多重化信号」には「オーバヘッド」と呼ばれる監視保守運用のための信号が付加されており、上記ロ．【０００３】末尾、ハ．【００２９】、【００３１】、引用例図４〜１０にあるように、該「オーバヘッド」には例えば「ＡＰＳバイト」と呼ばれる情報が含まれて、障害発生時の冗長系の切替運用のための警報として使用されている。
　そして、上記ロ．【０００８】、上記ハ．【００２２】、【００３０】、【００３４】には、該「ＡＰＳバイト」を高速側伝送路であるＯＣ−１９２区間を越えて転送するために、「ＡＰＳバイトを含む監視保守運用情報をＯＣ−１９２区間でスルーして伝送する」、「通過転送される」、「受信した通過転送ＡＰＳバイト」を「各々そのままＯＣ−１２伝送オーバヘッド上のＡＰＳバイトの規定位置、すなわち図５（ｂ）のＫ１とＫ２の位置に挿入して、多重化装置Ｄに向けて送信する。」とあり、上記引用例記載の「多重化伝送方法」はいずれにせよ、前記「ＡＰＳバイト」を『そのまま転送する』転送ステップを含むということができる。
　
　したがって、上記引用例には以下の発明（以下、「引用発明」という。）が開示されている。
　
（引用発明）
「設定された多重化伝送装置間で多重化信号中のオーバーヘッドに設けられるＡＰＳバイトをそのまま転送する転送ステップを含む多重化伝送方法。」
　
　
３．対比・判断
　本願発明と引用発明とを対比する。
　まず、引用発明の「多重化伝送装置」は、例えば引用例の上記ロ．【０００２】冒頭に「データ伝送」とあるように「データ」を伝送するものであり、伝送とは転送であるから、本願発明の「データ転送装置」に相当する。
　また、引用発明の「多重化信号」は、上記のように「データ伝送」のための通信に用いられる信号であるから、本願発明の「伝送通信信号」にあたる。
　そして、引用発明の「ＡＰＳバイト」は、本願発明の「データ通信バイト」と対比すると、ともに「バイト」である点において一致する。
　したがって、本願発明と引用発明とは、以下の点で一致し、また相違する。
　
（一致点）
「　設定されたデータ転送装置間で伝送通信信号中のオーバーヘッドに設けられるバイトをそのまま転送する転送ステップを含むデータ転送方法。」
　
（相違点）
（１）「バイト」の転送に関し、本願発明は「通信プロトコルによる制御を行うことなく」転送するのに対し、引用発明にはそのような構成はない点。
（２）「オーバーヘッド」の点に関し、本願発明は「セクション・オーバーヘッド」であるのに対し、引用発明は単に「オーバーヘッド」である点。
（３）「バイト」に関し、本願発明は「データ通信バイト」であるのに対し、引用発明は「ＡＰＳバイト」である点。
　
　
　まず、上記相違点（１）の「通信プロトコルによる制御を行うことなく」の点に関し検討するに、
　そもそも通信において何らかの意味のある情報の伝達を可能とするためには、送受双方の間に何らかの事前の取り決め、規約（プロトコル）が必要であり、全く何のプロトコルにも従わない通信というのは単なる自然現象の測定、観測に類することであって、通信としてはあり得ないことであるが、
　本願発明における「通信プロトコル」の意味を検討すると、本願明細書【０００３】〜【０００４】には、「ルーティング機能（中継経路設定機能）」、「ルーティング機能のことを通信プロトコルとして以下では表記する」とあるから、本願発明において「通信プロトコルによる制御を行うことなく、」とは、「ルーティング機能による制御を行うことなく、」ということであると言える。
　そして、「ルーティング機能」とは全体としての通信プロトコルの階層構成における第３層（ネットワーク層）の機能の一つであるから、本願発明においても通信に必要なその他の階層の通信プロトコル機能による制御は当然に行われるものである。
　このような観点で引用発明を検討すると、引用例には上記引用発明の認定においても述べたように、「ＡＰＳバイトを含む監視保守運用情報をＯＣ−１９２区間でスルーして伝送する」、「通過転送される」、「受信した通過転送ＡＰＳバイト」を「各々そのままＯＣ−１２伝送オーバヘッド上のＡＰＳバイトの規定位置、すなわち図５（ｂ）のＫ１とＫ２の位置に挿入して、多重化装置Ｄに向けて送信する。」との記載があり、
　例えばＯＣ−１９２区間である多重化伝送装置Ｆ−Ｇ間で通過転送されるＡＰＳバイトは、ＯＣ−１２におけるルーティング機能としての通信プロトコルによる制御は行われることなくそのまま転送されるのであるから、引用発明における「バイト」の転送に関し、「通信プロトコルによる制御を行うことなく」転送することは、当業者にとって適宜なし得ることである。
　したがって、相違点（１）は格別のものではない。
　
　ついて、上記相違点（２）の「セクション・オーバーヘッド」について検討する。
　引用例図４にあるように、引用発明の「オーバーヘッド」は「セクション・オーバーヘッド」と「ラインオーバヘッド」の２つのセクションから成っている。ここで、両セクションにある「バイト」の用途を見てみるに、「予備」、「保守者の便宜」、「保守運用に使用」などのように、同様の用途に係る「バイト」が、両セクションに任意的に存在しており、特に保守運用に使用されるＤ１〜Ｄ１２のうち、Ｄ１〜Ｄ３までが「セクション・オーバーヘッド」に、Ｄ４〜Ｄ１２までが「ラインオーバヘッド」にあることからも、「オーバヘッド」における「バイト」の用途・配置は任意性を含むものであって、引用発明の「オーバヘッド」に含まれる「ＡＰＳバイト」を「セクション・オーバーヘッド」に含ませるように替えることは当業者であれば適宜なし得る程度のことに過ぎない。
　したがって、相違点（２）も格別のものではない。
　
　最後に、相違点（３）の「データ通信バイト」について検討する。
　上記相違点（２）の検討でも述べたように、本願発明の「データ通信バイト」にあたる「Ｄ１〜Ｄ３」も単に「保守運用に使用」されるバイトとして「セクション・オーバーヘッド」に含まれることが引用例図４には開示があるから、引用発明の「ＡＰＳバイト」に替えて適宜の用途に応じて「データ通信バイト」をそのまま転送することも当業者であれば容易になし得た程度のことに過ぎない。
　したがって、相違点（３）も格別のものではない。
　
　そして、本願発明の効果も引用発明から当業者が予測し得る範囲のものである。
　
４．むすび
　以上のとおり、本願発明は、引用発明に基づいて当業者が容易に発明をすることができたものであるから、特許法第２９条第２項の規定により特許を受けることができない。
　
　よって、結論のとおり審決する。